(57)【要約】      （修正有）【課題】コスト低減が可能であり、リモコン装置により光源としての発光ダイオードの点灯状態が制御されるＬＥＤ点灯装置およびこのＬＥＤ点灯装置を具備するＬＥＤ照明装置を提供する。【解決手段】ＬＥＤ点灯装置１は、発光ダイオード８に電流を供給する電源回路２と、電源回路２が供給する電流を所定期間遮断する遮断回路３と、発光ダイオード８の両端間電圧を検出し、当該両端間電圧からリモコン装置から送信された制御信号を取得する信号処理回路４と、信号処理回路４が取得した制御信号に応じて、遮断回路３を制御する制御回路５とを具備している。【選択図】図１
2011014274.tif 000002
【特許請求の範囲】
【請求項１】
発光ダイオードに電流を供給する電源回路と；  前記発光ダイオードの両端間電圧を検出し、当該両端間電圧からリモコン装置から送信された制御信号を取得する信号処理回路と;  この信号処理回路が取得した前記制御信号に応じて、前記電源回路を制御する制御回路と；を具備していることを特徴とするＬＥＤ点灯装置。
【請求項２】
前記電源回路が供給する電流を所定期間遮断する遮断回路と；を具備し、  前記信号処理回路は、前記所定期間において、前記発光ダイオードの両端間電圧を検出することを特徴とする請求項１記載のＬＥＤ点灯装置。
【請求項３】
発光ダイオードが複数個からなり、前記遮断回路は、個々の発光ダイオードに流れる電流を順次遮断し、個々の発光ダイオードを順次消灯させることを特徴とする請求項２記載のＬＥＤ点灯装置。
【請求項４】
請求項１ないし３いずれか一記載のＬＥＤ点灯装置と；  このＬＥＤ点灯装置の電源回路の出力間に接続された発光ダイオードと；  この発光ダイオードを配設している器具本体と；  前記発光ダイオードの点灯状態を変化させる制御信号を無線送信するリモコン装置と；を具備していることを特徴とするＬＥＤ照明装置。
【発明の詳細な説明】
【技術分野】
【０００１】
本発明は、リモコン装置から送信された無線信号により発光ダイオードの点灯状態を制御するＬＥＤ点灯装置およびこのＬＥＤ点灯装置を具備するＬＥＤ照明装置に関する。
【背景技術】
【０００２】
従来、この種のＬＥＤ照明装置は、リモコン装置から送信される制御信号（無線信号）を受信するリモコン受信部を具備している。このリモコン受信部は、前記制御信号を受信するために、器具本体から外方に突出するようにして配設されている。例えば、リモコン受信部を内側に配置したカバー部を備え、リモコン受信部の受光部と対向するカバー部に外方に突出するモールド部品からなる収集部材を取り付けた照明器具が提案されている（特許文献１参照。）。  
【０００３】
この従来技術の照明器具は、収集部材がＶカバーから凸状に突出しているので、リモコン装置から送信される制御信号を受信しやすくなり、リモコン装置の検知範囲が定まるというものである。また、リモコン受信部は、収集部材と、カバー部としてのＶカバーとで覆われる位置に配設しているので、器具本体の外観を損なわないというものである。
【先行技術文献】
【特許文献】
【０００４】
【特許文献１】特開２０００−４８６３６号公報（第３−４頁、第１図）
【発明の概要】
【発明が解決しようとする課題】
【０００５】
しかしながら、リモコン受信部が取り付けられるＶカバーは、器具本体内の長手方向に沿って中央に着脱自在に取り付けられ、その両側に沿ってランプをそれぞれ配置している。すなわち、リモコン受信部は、その配設位置がランプの配置により制限される。これに加えて、収集部材が凸部に形成されるので、リモコン受信部を有する照明器具は、その構成により、コスト低減が図れにくいという欠点を有する。  
【０００６】
本発明は、コスト低減が可能であり、リモコン装置により光源としての発光ダイオードの点灯状態が制御されるＬＥＤ点灯装置およびこのＬＥＤ点灯装置を具備するＬＥＤ照明装置を提供することを目的とする。
【課題を解決するための手段】
【０００７】
請求項１に記載のＬＥＤ点灯装置の発明は、発光ダイオードに電流を供給する電源回路と；前記発光ダイオードの両端間電圧を検出し、当該両端間電圧からリモコン装置から送信された制御信号を取得する信号処理回路と;この信号処理回路が取得した前記制御信号に応じて、前記電源回路を制御する制御回路と；を具備していることを特徴とする。  
【０００８】
本発明および以下の各発明において、特に言及しない限り、各構成は以下による。  
【０００９】
発光ダイオードは、１個であっても複数個であってもよい。複数個の場合、並列接続、直列接続または直並列接続のいずれであってもよい。  
【００１０】
「発光ダイオードの両端間電圧」とは、個々の発光ダイオードの両電極間の電圧であってもよく、直列接続された発光ダイオードの最も一端側および他端側にそれぞれ位置する電極の間の電圧であってもよい。  
【００１１】
信号処理回路は、発光ダイオードの両端間電圧を、リモコン装置から送信された制御信号を取得するときに検出してもよく、常時検出していてもよい。  
【００１２】
本発明によれば、リモコン装置から発光ダイオード側に向けて制御信号が送信されると、当該制御信号に応じて、発光ダイオードの両端間電圧が変化する。信号処理回路は、発光ダイオードの両端間電圧を検出し、その検出電圧の変化を解析して、リモコン装置から送信された制御信号を取得する。制御回路は、当該制御信号に応じて電源回路を制御し、電源回路から発光ダイオードに供給される電流を変化させる。これにより、リモコン装置から送信された制御信号により、発光ダイオードの点灯状態が制御される。  
【００１３】
請求項２に記載のＬＥＤ点灯装置の発明は、請求項１記載のＬＥＤ点灯装置の発明において、前記電源回路が供給する電流を所定期間遮断する遮断回路と；を具備し、前記信号処理回路は、前記所定期間において、前記発光ダイオードの両端間電圧を検出することを特徴とする。  
【００１４】
所定期間は、発光ダイオードに電流が流れない電流休止期間である。発光ダイオードは、所定期間に亘って消灯する。そして、所定期間は、発光ダイオードの消灯が目視されにくく、かつリモコン装置から送信された制御信号を取得可能な期間に設定される。所定期間は、例えば１〜３００ミリ秒（ｍＳ）に設定することができる。  
【００１５】
本発明によれば、発光ダイオードの両端間には、所定期間、リモコン装置から送信された制御信号に応じた微弱電圧が発生し、電流が流れることによる大きな電圧が発生しないので、所定期間において発光ダイオードの両端間電圧を検出することにより、前記微弱電圧が容易に検出される。  
【００１６】
請求項３に記載のＬＥＤ点灯装置の発明は、請求項２記載のＬＥＤ点灯装置の発明において、発光ダイオードが複数個からなり、前記遮断回路は、個々の発光ダイオードに流れる電流を順次遮断し、個々の発光ダイオードを順次消灯させることを特徴とする。  
【００１７】
「順次遮断」および「順次消灯」とは、複数個の発光ダイオードが順番に電流が遮断されて消灯されるとともに、電流が遮断されて消灯された発光ダイオードの前段の発光ダイオードは、電流の遮断が解除されて点灯されることを意味する。順次遮断され消灯される発光ダイオードは、１個であってもよく、複数個であってもよい。  
【００１８】
本発明によれば、信号処理回路は、順次消灯される発光ダイオードの両端間電圧を検出することにより、リモコン装置から送信された制御信号に応じて発光ダイオードの両端間に発生した微弱電圧を入力し、当該微弱電圧に基づいて前記制御信号を取得する。すなわち、信号処理回路は、個々の発光ダイオードが消灯する所定期間がリモコン装置から送信された制御信号の１フレーム当たりの送信期間より短くても、順次検出した個々の発光ダイオードの両端間電圧を連続的に組み合わせて、リモコン装置から送信された制御信号を取得可能である。  
【００１９】
請求項４に記載のＬＥＤ照明装置の発明は、請求項１ないし３いずれか一記載のＬＥＤ点灯装置と；このＬＥＤ点灯装置の電源回路の出力間に接続された発光ダイオードと；この発光ダイオードを配設している器具本体と；前記発光ダイオードの点灯状態を変化させる制御信号を無線送信するリモコン装置と；を具備していることを特徴とする。  
【００２０】
ＬＥＤ点灯装置は、器具本体に配設されてもよく、器具本体と別体に設けられてもよい。  
【００２１】
「発光ダイオードの点灯状態」とは、発光ダイオードの点灯、消灯および調光を意味する。  
【００２２】
本発明によれば、光源としての発光ダイオードがリモコン装置から送信された制御信号を受信する受信素子として機能するので、専用のリモコン用受信素子を具備しない照明器具が提供される。
【発明の効果】
【００２３】
請求項１の発明によれば、光源としての発光ダイオードがリモコン装置から送信される制御信号を受信する受信素子としての機能を有するので、ＬＥＤ照明装置に前記制御信号を受信する専用の受信素子を設ける必要がなく、コスト低減を図ることのできるＬＥＤ点灯装置を提供することができる。  
【００２４】
請求項２の発明によれば、信号処理回路は、発光ダイオードが消灯する所定期間に、発光ダイオードの両端間に発生したリモコン装置から送信された制御信号に応じた微弱電圧を検出するので、発光ダイオードに流れる電流によって発光ダイオードの両端間に発生する大電圧を除去する回路構成を要しなく、簡素な構成で安価に形成することができ、これにより、ＬＥＤ点灯装置を安価にすることができる。  
【００２５】
請求項３の発明によれば、遮断回路が個々の発光ダイオードに流れる電流を順次遮断し、個々の発光ダイオードを順次消灯させることにより、信号処理回路は、個々の発光ダイオードが消灯する所定期間がリモコン装置から送信された制御信号の１フレーム当たりの送信期間より短くても、リモコン装置から送信された制御信号を取得するので、発光ダイオードの消灯が目視できないように、前記所定期間を極力短くすることができる。  
【００２６】
請求項４の発明によれば、光源としての発光ダイオードがリモコン装置から送信された制御信号を受信する受信素子として機能し、専用のリモコン用受信素子を設けなくすることのできるＬＥＤ点灯装置を具備するので、リモコン用受信素子の配設設計が不要であり、かつリモコン用受信素子を設けない分、安価なＬＥＤ照明装置を提供することができる。
【図面の簡単な説明】
【００２７】
【図１】本発明の実施例１を示すＬＥＤ点灯装置の概略回路図。
【図２】同じく、発光ダイオードが消灯する所定期間を示し、（ａ）はリモコン装置からの制御信号の検出の説明図、（ｂ）は発光ダイオードの順次消灯の説明図。
【図３】本発明の実施例２を示すＬＥＤ照明装置の概略斜視図。
【図４】同じく、ＬＥＤ照明装置の一部切り欠き概略側面図。
【図５】同じく、発光ダイオードを示し、（ａ）は一の発光ダイオードの概略断面図、（ｂ）は他の発光ダイオードの概略正面図。
【発明を実施するための形態】
【００２８】
以下、本発明の一実施の形態について、図面を参照して説明する。  
【００２９】
本発明において、光源としての発光ダイオードに流れる電源回路からの出力電流は、遮断回路により、所定期間に亘って遮断される。これにより、発光ダイオードには、所定期間に亘って、電流が流れなくなる。このとき、発光ダイオードがリモコン装置から送信された無線信号を受信すると、発光ダイオードの両端間に検出可能な電圧が発生する。  
【００３０】
信号処理回路は、発光ダイオードの両端間電圧からリモコン装置から送信された制御信号を解析し、取得する。そして、制御回路は、当該制御信号に応じて電源回路を制御する。発光ダイオードには、リモコン装置から送信された制御信号に応じた電流が流れる。こうして、発光ダイオードは、光源としての機能と、リモコン装置から送信された制御信号を受信する受信素子としての機能を果たす。
【実施例１】
【００３１】
図１および図２は、本発明の実施例１を示し、図１はＬＥＤ点灯装置の概略回路図、図２は発光ダイオードが消灯する所定期間を示し、（ａ）はリモコン装置からの制御信号の検出の説明図、（ｂ）は発光ダイオードの順次消灯の説明図である。  
【００３２】
ＬＥＤ点灯装置１は、電源回路としての直流電源回路２、遮断回路３、信号処理回路４および制御回路５を有して構成されている。そして、ＬＥＤ点灯装置１は、入力端子６ａ，６ｂが商用交流電源Ｖｓに接続され、出力端子７ａ，７ｂが光源としての発光ダイオード８に接続されている。  
【００３３】
直流電源回路２は、ＡＣ−ＤＣ変換回路９およびＤＣ−ＤＣ変換回路１０を有して形成されている。ＡＣ−ＤＣ変換回路９は、整流器１１および平滑用コンデンサＣ１を有して形成されている。整流器１１の入力側は、ＬＥＤ点灯装置１の入力端子６ａ，６ｂに接続されて、商用交流電源Ｖｓに接続されている。そして、整流器１１の出力端子間に平滑用コンデンサＣ１を接続している。平滑用コンデンサＣ１の低電位側は、コンデンサＣ２を介してアースＥに接続されている。ＡＣ−ＤＣ変換回路９は、商用交流電源Ｖｓの交流電圧を直流電圧に変換して出力する。  
【００３４】
ＤＣ−ＤＣ変換回路１０は、絶縁トランスＴ１、スイッチング素子Ｑ１、スナバ回路１２および整流平滑回路１３を有して構成されている。絶縁トランスＴ１は、ＡＣ−ＤＣ変換回路９の出力電圧（平滑用コンデンサＣ１の両端間電圧）を変成して出力する。そして、絶縁トランスＴ１の一次巻線Ｔ１ａの両端間には、スナバ回路１２が接続されている。スナバ回路１２は、ダイオードＤ１、抵抗Ｒ１およびコンデンサＣ３を有して形成されている。スナバ回路１２は、スイッチング素子Ｑ１がオフしたときに、絶縁トランスＴ１の一次巻線Ｔ１ａに流れる電流を回生する。  
【００３５】
スイッチング素子Ｑ１は、電界効果トランジスタからなり、絶縁トランスＴ１の一次巻線Ｔ１ａと直列的に接続され
て、ＡＣ−ＤＣ変換回路９の出力間（平滑用コンデンサＣ１の両端間）に接続されている。スイッチング素子Ｑ１のゲート（制御端子）は、制御回路５に接続されている。  
【００３６】
整流平滑回路１３は、絶縁トランスＴ１の二次巻線Ｔ１ｂの両端間に接続されている。そして、整流平滑回路１３は、整流用のダイオードＤ２および平滑用コンデンサＣ４を有して形成され、絶縁トランスＴ１の二次巻線Ｔ１ｂの両端間に発生した電圧を直流電圧に整流平滑する。  
【００３７】
こうして、ＤＣ−ＤＣ変換回路１０は、スイッチング素子Ｑ１のオンオフ動作により、ＡＣ−ＤＣ変換回路９の出力電圧を直流電圧に変換して、整流平滑回路１３の出力間に出力する。そして、スイッチング素子Ｑ１のオンオフ周波数に応じて、整流平滑回路１３の出力間に出力する直流電圧が変化する。  
【００３８】
整流平滑回路１３の出力間である平滑用コンデンサＣ４の両端は、ＬＥＤ点灯装置１の出力端子７ａ，７ｂに接続されている。出力端子７ａ，７ｂには、直列接続された発光ダイオード８がアノード側を出力端子７ａ側にして接続される。発光ダイオード８の両端間には、ＤＣ−ＤＣ変換回路１０の出力電圧（直流電圧）が印加される。これにより、発光ダイオード８にＤＣ−ＤＣ変換回路１０の出力電流が流れる。すなわち、直流電源回路２は、発光ダイオード８に電流を供給するものである。なお、発光ダイオード８は、照明光として利用される可視光（例えば白色光）を放射するように形成されている。  
【００３９】
遮断回路３は、個々の発光ダイオード８に並列的に接続された複数個のスイッチ素子Ｑ２例えば電界効果トランジスタからなっている。そして、各々の電界効果トランジスタＱ２のゲート（制御端子）は、制御回路５に接続されている。そして、例えば、一の電界効果トランジスタＱ２は、制御回路５により、図２（ａ）に示すように、所定期間としての第１の所定期間、オン制御される。このオン制御により、当該一の電界効果トランジスタＱ２を並列的に接続している発光ダイオード８の両端間は短絡される。  
【００４０】
また、当該一の電界効果トランジスタＱ２のオン制御は、第２の所定期間（一定期間）ごとに行われる。これにより、当該一の電界効果トランジスタＱ２を並列的に接続している発光ダイオード８に対して、直流電源回路２が供給する電流は、第２の所定期間ごとに第１の所定期間に亘って遮断される。当該発光ダイオード８には、第１の所定期間に亘って電流が流れなくなり、当該発光ダイオード８の両端間には、直流電源回路２からの電流が流れることによる電圧が発生しなくなる。  
【００４１】
また、例えば、複数個の電界効果トランジスタＱ２は、制御回路５により、図２（ｂ）に示すように、順次、第１の所定期間に亘ってオン制御される。このオン制御により、個々の発光ダイオード８の両端間が順次短絡され、個々の発光ダイオード８に流れる電流が順次遮断される。この結果、個々の発光ダイオード８は、順次消灯される。ここで、制御回路５は、電界効果トランジスタＱ２を順次オン制御すると、オン制御した電界効果トランジスタＱ２の前段の電界効果トランジスタＱ２をオフ制御する。すなわち、複数個の電界効果トランジスタＱ２のうちの１個の電界効果トランジスタＱ２がオン制御され、複数個の発光ダイオード８のうちの１個の発光ダイオード８が消灯される。  
【００４２】
図１において、信号処理回路４は、増幅回路１４、バンドパスフィルター回路１５、検波回路１６、波形整形回路１７およびマイコン１８を有して形成されている。そして、個々の発光ダイオード８の両端間電圧は、増幅回路１４、バンドパスフィルター回路１５、検波回路１６および波形整形回路１７をそれぞれ介して検出され、マイコン１８に入力される。  
【００４３】
リモコン装置から発光ダイオード８側に向かって制御信号（無線信号）を送信すると、個々の発光ダイオード８の両端間には当該制御信号に応動した電圧が発生する。すなわち、リモコン装置は、赤外線の発光ダイオードを使用して制御信号を送信している。リモコン装置の発光ダイオードと同類である発光ダイオード８は、赤外線の発光ダイオードから送信された制御信号が照射されると、当該制御信号に応動して、図２に示すように、その両端間（両電極間）に当該制御信号に応じた電圧が発生する。この電圧は、電源電圧に比べると非常に微弱である。しかし、遮断回路３の電界効果トランジスタＱ２がオン制御された第１の所定期間には、発光ダイオード８の両端間に当該電圧のみが発生するので、第１の所定期間において容易に検出可能となる。  
【００４４】
マイコン１８は、第１の所定期間において、リモコン装置から送信された制御信号に応じた電圧が検出されると、制御回路５に検出信号を出力するように形成されている。また、マイコン１８は、第１の所定期間における発光ダイオード８の両端間電圧を演算し解析して、リモコン装置から送信された制御信号を取得するように形成されている。マイコン１８が当該制御信号を取得することにより、発光ダイオード８は、リモコン装置から送信された制御信号を受信する受信素子として機能する。そして、マイコン１８が取得した当該制御信号は、制御回路５に出力される。  
【００４５】
制御回路５は、図１に示すように、直流電源回路２のスイッチング素子Ｑ１のゲート（制御端子）に接続され、さらに遮断回路３の個々の電界効果トランジスタＱ２のゲート（制御端子）に接続されている。そして、制御回路５は、遮断回路３の一の電界効果トランジスタＱ２に対して、図２（ａ）に示すように、第２の所定期間例えば５０ミリ秒（５０ｍＳ）ごとに第１の所定期間例えば１ミリ秒（１ｍＳ）に亘ってオン制御するように形成されている。  
【００４６】
第１の所定期間を除く第２の所定期間は、直流電源回路２からの電流が発光ダイオード８に流れる期間であり、第１の所定期間は、発光ダイオード８に電流が流れない電流休止期間である。第１の所定期間は、第２の所定期間の例えば１／５０の期間であるので、第２の所定期間ごとに第１の所定期間が設けられても、発光ダイオード８の照明光の変化は、非常に小さく、目視できない。  
【００４７】
そして、信号処理回路４が第１の所定期間においてリモコン装置から送信された制御信号に応じた電圧を検出し、当該電圧の検出信号を制御回路５に出力すると、制御回路５は、遮断回路３の複数個の電界効果トランジスタＱ２を、順次、第１の所定期間に亘ってオン制御し、個々の発光ダイオード８を順次消灯させるように形成されている。すなわち、順次消灯される発光ダイオード８の両端間電圧に基づいて、信号処理回路４がリモコン装置から送信された１フレーム当たりの制御信号に応じた電圧を検出可能にしている。  
【００４８】
そして、制御回路５は、信号処理回路４からマイコン１８が解析し取得した制御信号を入力すると、当該制御信号に応じて、直流電源回路２のスイッチング素子Ｑ１のオンオフ周波数を制御するように形成されている。これにより、直流電源回路２の出力電流が変化し、発光ダイオード８に流れる電流が変化する。すなわち、発光ダイオード８は、リモコン装置から送信された制御信号により、点灯、消灯または調光される。  
【００４９】
なお、直流電源回路２において、ＤＣ−ＤＣ変換回路１０は、絶縁トランスＴ１および１個のスイッチング素子Ｑ１を用いて構成したが、これに限定されるものではなく、ハーフブリッジ形など、２個以上のスイッチング素子を用いて構成してもよく、直流電源回路２の出力電圧をスイッチング素子のオンオフ動作により所定の直流電圧に変換して出力するように構成されていればよい。  
【００５０】
次に、本発明の実施例１の作用について述べる。  
【００５１】
商用交流電源Ｖｓが投入されると、制御回路５が動作し、直流電源回路２のスイッチング素子Ｑ１を所定のオンデューティおよびオンオフ周波数でオンオフ制御する。これにより、直流電源回路２から所定の出力電流が発光ダイオード８に供給される。発光ダイオード８は、所定の出力電流が流れて、全光点灯し、照明光としての可視光（白色光）を放射する。  
【００５２】
また、制御回路５は、遮断回路３の一の電界効果トランジスタＱ２を第２の所定期間例えば５０ミリ秒（５０ｍＳ）ごとに第１の所定期間例えば１ミリ秒（１ｍＳ）に亘ってオン制御する。これにより、前記一の電界効果トランジスタＱ２に並列接続している発光ダイオード８は、第１の所定期間に亘って直流電源回路２からの出力電流が流れなくなり、消灯する。信号処理回路４は、当該発光ダイオード８の両端間電圧を第１の所定期間に亘って検出する。ここで、第１の所定期間は、例えば１ミリ秒（１ｍＳ）と非常に短い期間であり、第２の所定期間（例えば５０ミリ秒（５０ｍＳ））に対して、例えば１／５０と非常に小さい比率である。したがって、発光ダイオード８が第１の所定期間に亘って消灯しても、発光ダイオード８の照明光の変化は、目視して認識しにくい。  
【００５３】
そして、発光ダイオード８の点灯状態を切り替えるためには、リモコン装置から当該点灯状態の切り替え情報（制御情報）を付与した制御信号（無線信号）を発光ダイオード８側に向かって送信する。個々の発光ダイオード８は、当該制御信号が照射されると、その両電極間に当該制御信号に応動した電圧が発生する。すなわち、個々の発光ダイオード８の両端間に、リモコン装置から送信された制御信号に応じて電圧が発生する。この電圧は、発光ダイオード８から放射される照明光にほとんど変化を与えないほどの微弱電圧または微小電圧であり、発光ダイオード８が点灯しているときの発光ダイオード８の両端間電圧からは容易に検出することはできない。しかし、発光ダイオード８が消灯している第１の所定期間では、発光ダイオード８の両端間には、前記微弱電圧または微小電圧のみが発生するので、当該電圧を容易に検出可能である。  
【００５４】
リモコン装置から送信された制御信号は、例えば、約９５０ｎｍの波長の赤外線を使用して、３８ｋＨｚの変調周波数の無線信号で送信される。そして、当該制御信号は、例えば、リーダコード、１６ビットのカスタムコード、８ビットのデータコードおよびその０／１を反転した８ビットのコード、ストップビットおよびフレームスペースのフォーマットに形成され、リーダコードからフレームスペースまでの１フレームが１０８ミリ秒（ｍＳ）となっている。そして、リモコン装置における送信操作中、リモコン装置から連続的に制御信号が送信される。  
【００５５】
そして、信号処理回路４は、図２（ａ）に示すように、第１の所定期間において、発光ダイオード８の両端間電圧に基づいて、リモコン装置から送信された制御信号に応動した電圧を検出すると、当該電圧の検出信号を制御回路５に出力する。  
【００５６】
制御回路５は、遮断回路３の複数個の電界効果トランジスタＱ２を、順次、第１の所定期間に亘ってオン制御する。ここで、制御回路５は、電界効果トランジスタＱ２をオン制御した後、前段の電界効果トランジスタＱ２を例えば０．０１〜０．００１ミリ秒（ｍＳ）経過後にオフ制御する。  
【００５７】
個々の発光ダイオード８は、電界効果トランジスタＱ２に対するオンオフ制御により、順次、第１の所定期間に亘って短絡されて消灯するとともに、消灯した発光ダイオード８の前段の発光ダイオード８は、例えば０．０１〜０．００１ミリ秒（ｍＳ）後に点灯する。  
【００５８】
信号処理回路４は、順次消灯する個々の発光ダイオード８の両端間電圧を検出し、リモコン装置から送信された制御信号に応動して発光ダイオード８の両端間に発生した電圧を検出する。順次消灯する発光ダイオード８とその前段の発光ダイオード８とは、例えば０．０１〜０．００１ミリ秒（ｍＳ）、消灯期間が重複するので、リモコン装置から送信された制御信号に応じた電圧を連続的に検出する。  
【００５９】
そして、リモコン装置から送信された制御信号の１フレームは、１０８ミリ秒（ｍＳ）であり、個々の発光ダイオード８が消灯する第１の所定期間は、１ミリ秒（ｍＳ）であるので、約１１０回以上、順次、個々の発光ダイオード８が
消灯すると、リモコン装置から送信された制御信号の１フレームに対する電圧が検出される。そして、信号処理回路４のマイコン１８は、検出した前記電圧を演算し解析して、リモコン装置から送信された制御信号の制御情報を取得する。この制御情報は、制御回路５に出力される。  
【００６０】
制御回路５は、前記制御情報が入力されると、遮断回路３の複数個の電界効果トランジスタＱ２を順次オン制御することを停止する。そして、制御回路５は、前記制御情報に応じて、直流電源回路２のスイッチング素子Ｑ１のオンオフ周波数を変化させる。これにより、直流電源回路２の出力電流が変化し、発光ダイオード８の点灯状態が切り替わる。すなわち、発光ダイオード８は、リモコン装置から送信された制御信号に応じて、点灯から消灯され、または消灯から点灯され、あるいは調光点灯される。  
【００６１】
なお、消灯状態においては、リモコン装置から送信された制御信号を受信した全ての発光ダイオード８に両端間電圧が発生するため、任意の発光ダイオード８の両端間電圧を常時検出するように構成しておけばよい。  
【００６２】
上述したように、発光ダイオード８および信号処理回路４は、リモコン装置から送信された制御信号を受信するリモコン受信部として機能し、発光ダイオード８は、制御信号を受信（受光）する受信素子（受光素子）として機能する。したがって、ＬＥＤ照明装置に、リモコン装置から送信される制御信号を受信する専用のリモコン受信素子を設ける必要がなく、リモコン受信素子を器具本体から突出させるなどの配設設計を不要とすることができる。これにより、ＬＥＤ点灯装置１は、発光ダイオード８を具備するＬＥＤ照明装置のコスト低減を図ることができる。  
【００６３】
そして、遮断回路３が個々の発光ダイオード８に流れる電流を順次第１の所定期間に亘って遮断し、個々の発光ダイオード８を順次第１の所定期間に亘って消灯させることにより、信号処理回路４は、第１の所定期間（例えば１ｍＳ）がリモコン装置から送信された制御信号の１フレーム当たりの送信期間（例えば１０８ｍＳ）より短くても、順次検出した個々の発光ダイオード８の第１の所定期間における両端間電圧を連続的に組み合わせて、リモコン装置から送信された制御信号を取得することができる。したがって、第１の所定期間を極力短くして、発光ダイオード８の第１の所定期間の消灯を目視できないようにすることができる。すなわち、発光ダイオード８の照明光のちらつきを防止することができる。  
【００６４】
また、信号処理回路４は、発光ダイオード８が消灯する第１の所定期間において、発光ダイオード８の両端間に発生した両端間電圧からリモコン装置から送信された制御信号に応じた微弱電圧を検出するので、発光ダイオード８が点灯しているときに流れる電流によって発光ダイオード８の両端間に発生する大電圧を除去する回路構成を要しないものである。したがって、信号処理回路４は、簡素な構成で安価に形成することができ、これにより、ＬＥＤ点灯装置１を安価にすることができる。  
【００６５】
しかしながら、信号処理回路４は、発光ダイオード８の両端間電圧を検出し、当該両端間電圧からリモコン装置から送信された制御信号を取得するように形成されていればよい。すなわち、信号処理回路４は、発光ダイオード８が点灯しているときの発光ダイオード８の両端間電圧を検出し、当該両端間電圧から発光ダイオード８に流れる電流による発光ダイオード８の両端間に発生する大電圧を除去し、リモコン装置から送信された制御信号に応じた微弱電圧を検出する回路構成に形成されていてもよい。この場合、ＬＥＤ点灯装置１は、遮断回路３を除去することができる。  
【００６６】
なお、図１に示すＬＥＤ点灯装置１において、制御回路５は、遮断回路３の一の電界効果トランジスタＱ２を第２の所定期間ごとに第１の所定期間に亘ってオン制御し、信号処理回路４が当該電界効果トランジスタＱ２に並列的に接続している発光ダイオード８の両端間電圧に基づいてリモコン装置から送信された制御信号に応動した電圧を検出したときに、個々の発光ダイオード８を順次第１の所定期間に亘って消灯するように制御している。ここで、前記一の電界効果トランジスタＱ２および個々の発光ダイオード８をそれぞれ制御する第１の所定期間は、互いに同等の期間であってもよく、互いに異なる期間に設定されていてもよい。  
【００６７】
また、制御回路５は、個々の発光ダイオード８を順次消灯するように制御せず、１個または複数個の発光ダイオード８をリモコン装置から送信された制御信号の１フレームの送信期間（例えば１０８ｍＳ）以上消灯させるように制御し、当該発光ダイオード８の両端間電圧を信号処理回路４に検出させてもよい。また、制御回路５は、前段の制御を設けず、当初から個々の発光ダイオード８を順次第１の所定期間に亘って消灯するように制御してもよい。  
【００６８】
また、遮断回路３の前記一の電界効果トランジスタＱ２は、一つの電界効果トランジスタＱ２に固定せず、発光ダイオード８の所定の点灯時間例えば１００時間ごとに、順次、交替させてもよい。  
【００６９】
そして、リモコン装置から送信される制御信号は、赤外線を用いるとしたが、可視光を用いて無線送信してもよく、この場合でも、発光ダイオード８の両端間に信号処理回路４により検出可能な電圧が発生する。
【実施例２】
【００７０】
図３ないし図５は、本発明の実施例２を示し、図３はＬＥＤ照明装置の概略斜視図、図４はＬＥＤ照明装置の一部切り欠き概略側面図、図５は発光ダイオードを示し、（ａ）は一の発光ダイオードの概略断面図、（ｂ）は他の発光ダイオードの概略正面図である。なお、図１と同一部分には、同一符号を付して説明は省略する。  
【００７１】
図３に示すＬＥＤ照明装置１９は、照明器具２０およびリモコン装置２１を有して構成されている。照明器具２０は、天井面等に埋設されるダウンライトであり、略円筒状の器具本体２２の下端側にドーナツ形の化粧枠２３が設けられ、この化粧枠２３に透光性カバー２４が配設されている。そして、器具本体２２は、左右両側に器具本体２２を天井等に固定するための一対の取付けばね２５，２５を取り付けている。
【００７２】
また、器具本体２２は、図４に示すように、下端側内部に発光ダイオード８を配設しているＬＥＤモジュール２６および反射板２７を配設している。また、器具本体２２の内部には、図１に示すＬＥＤ点灯装置１が電源ユニット２８として配設されている。そして、器具本体２２の上面側には、商用交流電源Ｖｓからの図示しない電源ケーブルやアース線を接続する端子台２９が配設されている。
【００７３】
ＬＥＤモジュール２６は、図５（ａ）に示すように、例えばアルミニウム(Ａｌ)板からなる基板３０に複数個の発光ダイオード８が実装されている。すなわち、基板３０の表面に絶縁層３１が形成され、この絶縁層３１の表面に設けられた図示しないパッドにＬＥＤベアチップ３２が金（Ａｕ）／錫（Ｓｎ）共晶はんだ３３によりはんだ付けされている。
【００７４】
ＬＥＤベアチップ３２は、長方体状に形成されたサファイア３４の表面に発光層３５が形成され、この発光層３５の表面に電極３６，３７が設けられている。電極３６，３７は、図示しないパッドにワイヤボンディングされている。発光層３５は、例えば、紫外光から青色光の領域の光を放射する発光材料例えばＩｎＧａＮを有して形成され、通電に青色光を放射する。
【００７５】
そして、ＬＥＤベアチップ３２は、基板３０の絶縁層３１の表面において、内面が方物面に形成された包囲体３８に収容され、包囲体３８の内部に注入されて固化した透光性樹脂３９に埋められている。透光性樹脂３９は、例えば透明性のシリコーン樹脂からなり、青色光を所定の光例えば黄色光に波長変換するＹＡＧ系蛍光体粒子４０が混入されている。
【００７６】
発光ダイオード８は、ＬＥＤベアチップ３２から放射された青色光と、ＹＡＧ系蛍光体粒子４０により波長変換された黄色光とが混色することにより、白色光を放射するものである。そして、図１において説明したように、直列接続された発光ダイオード８は、ＬＥＤ点灯装置１の出力端子７ａ，７ｂに接続されている。
【００７７】
リモコン装置２１から制御信号が発光ダイオード８に向かって送信されると、当該制御信号は、例えば約９５０ｎｍの波長の赤外線を用いて３８ｋＨｚの変調周波数で無線送信された光であるので、透光性樹脂３９を透過してＬＥＤベアチップ３２の電極３６，３７に作用する。電極３６，３７間には、赤外線の制御信号に応動した微弱電圧または微小電圧が発生する。この微弱電圧または微小電圧がＬＥＤ点灯装置１の信号処理回路４により検出されることにより、ＬＥＤベアチップ３２（発光ダイオード８）は、リモコン装置２１から送信された制御信号を受信（受光）する受信素子（受光素子）として機能する。
【００７８】
図３において、発光ダイオード８の放射光（照明光）によって照明される照明領域から照明器具２０の透光性カバー２４に向かって、リモコン装置２１から制御信号を無線送信すれば、当該制御信号を発光ダイオード８に受信させることができる。したがって、リモコン装置２１の送信操作を迅速に行うことができる。リモコン装置２１は、発光ダイオード８の点灯状態を変化させる制御信号を無線送信することができるように、既知の構成により形成されている。
【００７９】
ＬＥＤ照明装置１９は、光源としての発光ダイオード８がリモコン装置２１から送信された制御信号を受信する受信素子として機能するので、照明器具２０においてリモコン用受信素子の配設設計が不要であり、かつリモコン用受信素子を設けない分、安価に提供することができる。
【００８０】
なお、ＬＥＤモジュール２６は、図５（ｂ）に示す発光ダイオード８Ａを設けるものであってもよい。発光ダイオード８Ａは、赤色光を放射する一つの赤色発光部４１ａ、緑色光を発光する一つの緑色発光部４１ｂおよび青色光を放射する二つの青色発光部４１ｃ，４１ｃに形成されている。  
【００８１】
そして、リモコン装置２１は、発光ダイオード８Ａの赤色発光部４１ａ、緑色発光部４１ｂおよび青色発光部４１ｃ，４１ｃのそれぞれの光出力を制御可能な制御信号を送信可能に形成される。これにより、照明器具２０から出射される照明光の光色性を所望に変化させることのできるＬＥＤ照明装置１９を提供することができる。また、発光ダイオード８Ａは、赤色発光部４１ａがリモコン装置２１から送信された赤外線光の制御信号に応動しやすく、受信素子としての機能が向上する。
【産業上の利用可能性】
【００８２】
本発明は、光源として発光ダイオードを用いるとともに、リモコン装置により発光ダイオードの点灯状態が制御される住宅照明器具や施設照明器具などに利用することができる。
【符号の説明】
【００８３】
１…ＬＥＤ点灯装置、  ２…電源回路としての直流電源回路、  ３…遮断回路、  ４…信号処理回路、  ５…制御回路、  ８，８Ａ…発光ダイオード、  １９…ＬＥＤ照明装置、  ２１…リモコン装置、  ２２…器具本体
【図１】
2011014274.tif 000003
【図２】
2011014274.tif 000004
【図３】
2011014274.tif 000005
【図４】
2011014274.tif 000006
【図５】
2011014274.tif 000007